(57)【要約】【課題】装着が容易にでき、長時間装着しても違和感や痛みを生じることのない血圧計用のカフを提供する。【解決手段】帯状の外袋１と、それに内装された空気袋４とを有し、外袋の長さ方向の一端１Ａ側の外面の第１の面ファスナ２Ａの上に他端１Ｂ側の内面の第２の面ファスナ２Ｂを重ねることで、被測定部位に装着される血圧計用のカフＷにおいて、外袋の内面側に、外袋の長さ方向の中間部の内面に基端１０Ａが固着され、外袋の他端側を一端側に重ねる前に先行して外袋の長さ方向の一端側に先端１０Ｂが係止されることで、外袋の長さ方向の一端側の略半分と共に被測定部位を通すためのループを作る柔軟性と伸縮性を有した小幅の補助バンド１０が設けられ、補助バンドの先端内面に、第１の面ファスナに対して着脱自在に係合する第３の面ファスナ１２が設けられ、外袋１の一端側の外面の第１の止めバンド１４に補助バンドの先端を通すことで、補助バンドの先端側が横ずれを防止され且つ抜け止めされる。【選択図】図１
2010148817.tif 000002
【特許請求の範囲】
【請求項１】
柔軟性を有する布材よりなり、上腕等の被測定部位に巻かれる帯状の外袋と、その外袋に内装され、外部から導入される空気圧により前記被測定部位に圧迫力を加える空気袋とを有し、前記外袋の長さ方向の一端側の外面に設けられた第１の面ファスナの上に、前記外袋の長さ方向の他端側の内面に設けられた第２の面ファスナを重ねて、互いに前記面ファスナ同士を係合させることにより、前記被測定部位に装着される血圧計用のカフにおいて、
前記外袋の内面側に、該外袋の長さ方向の中間部の内面に基端が固着され、該外袋の他端側を一端側に重ねる前に先行して前記外袋の長さ方向の一端側に先端が係止されることで、前記外袋の長さ方向の一端側の略半分と共に被測定部位を通すためのループを作る柔軟性を有した補助バンドが設けられていることを特徴とする血圧計用のカフ。
【請求項２】
請求項１に記載の血圧計用のカフであって、
前記補助バンドが、前記外袋の長さ方向に沿った伸縮性を持つことを特徴とする血圧計用のカフ。
【請求項３】
請求項１または２に記載の血圧計用のカフであって、
前記補助バンドの先端に、前記外袋の一端側の第１の面ファスナに対して着脱自在に係合する第３の面ファスナが設けられていることを特徴とする血圧計用のカフ。
【請求項４】
請求項３に記載の血圧計用のカフであって、
前記第１の面ファスナに着脱自在に係合されることで、前記補助バンドの先端の前記第１の面ファスナに対する係合位置の目安を与える目印ピースを備えていることを特徴とする血圧計用のカフ。
【請求項５】
請求項３または４に記載の血圧計用のカフであって、
前記補助バンドが、前記外袋よりも小幅のバンドとして構成されており、その基端が、前記外袋の幅方向の中央部に固着されていることを特徴とする血圧計用のカフ。
【請求項６】
請求項５に記載の血圧計用のカフであって、
前記外袋の幅方向における前記補助バンドの先端側の位置を決めるための位置決め手段が設けられていることを特徴とする血圧計用のカフ。
【請求項７】
請求項６に記載の血圧計用のカフであって、
前記位置決め手段として、前記第３の面ファスナが、前記補助バンドの先端部の内面から基端側に延長して設けられていることを特徴とする血圧計用のカフ。
【請求項８】
請求項６に記載の血圧計用のカフであって、
前記位置決め手段として、前記外袋の一端側の外面に、前記補助バンドの先端を通す隙間を有し且つその隙間に前記補助バンドの先端を通した際に該補助バンドの先端を抜け止めするトンネル形の第１の止めバンドが設けられていることを特徴とする血圧計用のカフ。
【請求項９】
請求項１〜８のいずれか１項に記載の血圧計用のカフであって、
前記外袋の一端側の略半分の領域に前記空気袋を収納するポケットが設けられると共に、そのポケットの入口が前記外袋の長さ方向の中間部の内面に開口されており、そして、その入口から挿入されることで、前記ポケットに前記空気袋が収容され、
一方、前記補助バンドの基端が、前記ポケットの入口の奥側において該ポケットの外側布材の内面に固着され、その上で、前記補助バンドの先端側が、前記ポケットの内側布材
の内面に設けられたトンネル形の第２の止めバンドの隙間に通されることで、前記補助バンドによって前記ポケットの入口が、前記空気袋の抜け出しを防止するように塞がれていることを特徴とする血圧計用のカフ。
【請求項１０】
請求項１〜９のいずれか１項に記載の血圧計用のカフであって、
前記外袋の他端側の少なくとも一方の角部から側縁にかけての部分が斜めにカットされていることを特徴とする血圧計用のカフ。
【請求項１１】
請求項１〜１０のいずれか１項に記載の血圧計用のカフであって、
前記外袋の一端側の外面に、前記空気袋に固定されたエアチューブ接続コネクタが引き出されており、そのエアチューブ接続コネクタのチューブ接続口の向きが、前記外袋の長手方向に設定されていることを特徴とする血圧計用のカフ。
【発明の詳細な説明】
【技術分野】
【０００１】
本発明は、上腕や下肢などの被測定部位に巻かれる血圧計用のカフに関するものである。
【背景技術】
【０００２】
血圧計用のカフは、布材よりなる帯状の外袋の中に空気袋を内装したものであり、主に被測定者の上腕（被測定部位）に巻き付けて、面ファスナで止めるようになっている。例えば、被測定者の左腕の上腕部にカフを装着する場合、自分で装着しようとすると、右手だけで巻き付けることになるので、装着しにくい。
【０００３】
そこで、一人で装着しやすいように、カフに折り返し用のバックルを設けておき、カフの一端をその折り返し用のバックルに通して折り返すことにより、腕を通すためのループを作るものや、カフスプリングという半円筒形の弾性部材をカフに組み込んでおき、その弾性を利用して上腕部にカフを仮装着するもの（例えば、特許文献１参照）が知られている。
【０００４】
【特許文献１】特開２００１−２２４５５８号公報
【発明の開示】
【発明が解決しようとする課題】
【０００５】
ところが、折り返し用のバックルやカフスプリングを設けるものは、金属やプラスチック等の硬い部材を使用することになるので、２４時間タイプの血圧計のように、常時カフを巻き付けていなくてはならない場合には、それらの硬質の部材が肌に当たり、痛みを感じさせたり違和感を感じさせたりする問題があった。
【０００６】
本発明は、上記事情を考慮し、装着が容易にできると共に、長時間装着しても違和感や痛みを生じることのない血圧計用のカフを提供することを目的とする。
【課題を解決するための手段】
【０００７】
請求項１の発明の血圧計用のカフは、柔軟性を有する布材よりなり、上腕等の被測定部位に巻かれる帯状の外袋と、その外袋に内装され、外部から導入される空気圧により前記被測定部位に圧迫力を加える空気袋とを有し、前記外袋の長さ方向の一端側の外面に設けられた第１の面ファスナの上に、前記外袋の長さ方向の他端側の内面に設けられた第２の面ファスナを重ねて、互いに前記面ファスナ同士を係合させることにより、前記被測定部位に装着される血圧計用のカフにおいて、前記外袋の内面側に、該外袋の長さ方向の中間部の内面に基端が固着され、該外袋の他端側を一端側に重ねる前に先行して前記外袋の長さ方向の一端側に先端が係止されることで、前記外袋の長さ方向の一端側の略半分と共に被測定部位を通すためのループを作る柔軟性を有した補助バンドが設けられていることを特徴としている。この場合、補助バンドの先端が、最初から外袋の一端側に固着されているものも含まれる。
【０００８】
請求項２の発明は、請求項１に記載の血圧計用のカフであって、前記補助バンドが、前記外袋の長さ方向に沿った伸縮性を持つことを特徴としている。
【０００９】
請求項３の発明は、請求項１または２に記載の血圧計用のカフであって、前記補助バンドの先端に、前記外袋の一端側の第１の面ファスナに対して着脱自在に係合する第３の面ファスナが設けられていることを特徴としている。
【００１０】
請求項４の発明は、請求項３に記載の血圧計用のカフであって、前記第１の面ファスナに着脱自在に係合されることで、前記補助バンドの先端の前記第１の面ファスナに対する係合位置の目安を与える目印ピースを備えていることを特徴としている。
【００１１】
請求項５の発明は、請求項３または４に記載の血圧計用のカフであって、前記補助バンドが、前記外袋よりも小幅のバンドとして構成されており、その基端が、前記外袋の幅方向の中央部に固着されていることを特徴としている。
【００１２】
請求項６の発明は、請求項５に記載の血圧計用のカフであって、前記外袋の幅方向における前記補助バンドの先端側の位置を決めるための位置決め手段が設けられていることを特徴とている。
【００１３】
請求項７の発明は、請求項６に記載の血圧計用のカフであって、前記位置決め手段として、前記第３の面ファスナが、前記補助バンドの先端部の内面から基端側に延長して設けられていることを特徴としている。
【００１４】
請求項８の発明は、請求項６に記載の血圧計用のカフであって、前記位置決め手段として、前記外袋の一端側の外面に、前記補助バンドの先端を通す隙間を有し且つその隙間に前記補助バンドの先端を通した際に該補助バンドの先端を抜け止めするトンネル形の第１の止めバンドが設けられていることを特徴としている。
【００１５】
請求項９の発明は、請求項１〜８のいずれか１項に記載の血圧計用のカフであって、前記外袋の一端側の略半分の領域に前記空気袋を収納するポケットが設けられると共に、そのポケットの入口が前記外袋の長さ方向の中間部の内面に開口されており、そして、その入口から挿入されることで、前記ポケットに前記空気袋が収容され、一方、前記補助バンドの基端が、前記ポケットの入口の奥側において該ポケットの外側布材の内面に固着され、その上で、前記補助バンドの先端側が、前記ポケットの内側布材の内面に設けられたトンネル形の第２の止めバンドの隙間に通されることで、前記補助バンドによって前記ポケットの入口が、前記空気袋の抜け出しを防止するように塞がれていることを特徴としている。
【００１６】
請求項１０の発明は、請求項１〜９のいずれか１項に記載の血圧計用のカフであって、前記外袋の他端側の少なくとも一方の角部から側縁にかけての部分が斜めにカットされていることを特徴としている。
【００１７】
請求項１１の発明は、請求項１〜１０のいずれか１項に記載の血圧計用のカフであって、前記外袋の一端側の外面に、前記空気袋に固定されたエアチューブ接続コネクタが引き出されており、そのエアチューブ接続コネクタのチューブ接続口の向きが、前記外袋の長手方向に設定されていることを特徴としている。
【発明の効果】
【００１８】
請求項１の発明によれば、予め補助バンドと外袋の一端側の略半分とでループを作っておき、そのループの中に上腕等の被測定部位を通すことにより、外袋を被測定部位に仮装着することができ、その状態で、外袋の他端側を一端側の上に被せて、第１の面ファスナと第２の面ファスナを係合させることにより、本装着することがきるので、被測定者自身が簡単に且つばらつきなく一定の状態で適正にカフを被測定部位に装着することができ、血圧測定の信頼性の向上に寄与することができる。この場合、補助バンドは柔軟性を持つので、外袋の他端側を一端側の上に被せて本装着する際の邪魔になることもない。また、柔軟性を有する補助バンドを追加して設けるだけであるから、硬質材料製の折り返し用の
バックルやカフスプリングを設けるのと違って、長時間の装着によっても違和感や痛みを生じることがない。
【００１９】
請求項２の発明によれば、補助バンドの伸縮性を利用することにより、被測定部位に容易にカフを仮装着することができる。
【００２０】
請求項３の発明によれば、補助バンドの係合位置を変えることにより、ループの大きさを被測定部位に合わせて調節できるので、より適切な仮装着が可能となる。
【００２１】
請求項４の発明によれば、目印ピースの位置を目安にして補助バンドの先端の係止位置を決めることができるので、ループの大きさをいつも適正に調節することができ、安定した仮装着状態を作ることができる。また、個々の被測定者毎に複数の目印ピースを設けておけば、複数の被測定者が使用する場合にも便宜を図ることができる。
【００２２】
請求項５の発明によれば、補助バンドを外袋の幅よりも小幅のバンドとしているので、被測定部位をループの中に通しやすくなる。また、外袋の他端側を補助バンドの上から外袋の一端側の上に重ねる際に、補助バンドが嵩張ったり邪魔になったりしなくなるので、より装着性が向上する。
【００２３】
請求項６の発明によれば、補助バンドの幅が小さくなることによる先端側の横ずれを位置決め手段によって防止することができる。即ち、補助バンドの幅が小さくなると、補助バンドの自由度が増すので、自由端である先端側が仮装着時などに横方向（外袋の幅方向）にずれやすくなるが、位置決め手段があることによって、それを防止することができる。従って、補助バンドで作ったループに被測定部位を通す際に、ループの形態が崩れることもなく、きれいにカフを装着することができる。
【００２４】
請求項７の発明によれば、位置決め手段を、第３の面ファスナを延長することで構成しているので、製作コストを抑えることができる。また、補助バンドの先端ばかりでなく基端側に寄った部分まで面ファスナの係合により拘束することができるので、補助バンドの先端だけを面ファスナで拘束する場合と比べて、補助バンドの横方向の位置ずれをより確実に防止することができる。そのため、仮装着時にループの形が崩れずに、正しい姿勢でカフの取り付けを行うことができる。
【００２５】
請求項８の発明によれば、位置決め手段をトンネル形の止めバンドで構成しているので、止めバンドの隙間に補助バンドの先端を通すだけで、補助バンドの先端側の横方向の位置ずれを確実に防止することができ、仮装着時にループの形を崩さずに、正しい姿勢でカフの取り付けを行うことができる。
【００２６】
また、止めバンドの隙間に補助バンドの先端を通すことにより、補助バンドの先端側を仮止めすることができるので、最初は大きめのループを作っておき、ループの中に被測定部位を通した後で、補助バンドの先端の係止位置を調節して、ループを締め込むことができる。その際、補助バンドの先端が抜け止めされていることにより、ループが崩れてしまうことがないので、適正な位置に確実にカフを仮装着することができる。また、カフを取り外す際にも、補助バンドによるループを維持した状態で、被測定部位をループから抜くことができるので、次回の装着の際に、そのループの中に被測定部位を通して、仮装着を容易に行うことができ、使い勝手がよい。
【００２７】
請求項９の発明によれば、補助バンドの基端を第２の止めバンドの隙間に通すことで、空気袋の脱落を防止することができる。
【００２８】
請求項１０の発明によれば、テーパ状（一方が太く、他方が細い形状）の被測定部位に外袋を巻き付けた際の角部のはみ出しを無くすことができ、その部分が邪魔にならなくなる。即ち、上腕等のテーパ状の被測定部位に帯状の外袋を巻き付けた際には、巻き終わりの部分（外袋の他端側）が外側（太い側）にはみ出すことがあるが、そのはみ出しを無くすことにより、カフの装着性の向上が図れる。
【００２９】
請求項１１の発明によれば、エアチューブ接続コネクタのチューブ接続口の方向を外袋の長手方向（カフの巻き付け方向）に向けているので、例えば、右腕に巻いた場合にも左腕に巻いた場合にも、同じ曲がり角度（約９０°）でエアチューブを腕の上側または下側に無理なく引き出すことができ、左右兼用化を図ることができる。また、外袋のポケットに対する空気袋の挿入方向にチューブ接続口を向けている場合は、空気袋をポケットに入れ出しする際に、エアチューブ接続コネクタをスムーズに外袋の引出孔に通すことができるようになり、空気袋の脱着の容易化を図ることができる。このことは、２４時間測定タイプの血圧計に使用した場合などに、外袋の洗濯の必要性が出てくることから、有効性を発揮することになる。
【発明を実施するための最良の形態】
【００３０】
以下、本発明の実施形態を図面を参照して説明する。
図１は第１実施形態のカフの使用前の状態を示す斜視図、図２は補助バンドの先端を外袋の一端側に係止させてループを作った状態を示す斜視図、図３はカフの概略構成を示す断面図、図４（ａ）〜（ｃ）はカフの装着手順を説明するための概略図、図５は外袋の一端側の第１の面ファスナ上に目印ピースを設けた状態を示す図、図６（ａ）は左腕の上腕部にカフを装着するときの状態を示す図、（ｂ）は外袋の斜めカット部の有用性を示す図、図７は右腕の上腕部にカフを装着するときの状態を示す図である。
【００３１】
図１〜図３に示すように、このカフＷは、上腕等の被測定部位に巻かれる一定幅の帯状の外袋１の内部に、外部から導入される空気圧により被測定部位に圧迫力を加える空気袋４を内装したものであり、外袋１は、柔軟性を有する布材（狭義の布の他に柔軟性を有するシート状の材料も含む）よりなる。そしてこのカフＷは、外袋１の長さ方向（図中矢印Ｘ方向。巻き付け方向とも言う）の一端１Ａ側の外面に設けられた第１の面ファスナ２Ａの上に、図１中矢印Ｅ２のように、外袋１の長さ方向の他端１Ｂ側の内面に設けられた第２の面ファスナ２Ｂを重ねて、互いに面ファスナ２Ａ、２Ｂ同士を係合させることにより、図６（ｂ）に示すように、上腕等の被測定部位Ｍに装着される。
【００３２】
外袋１の他端１Ｂ側の少なくとも一方の角部から側縁にかけての部分には、斜めにカットされた斜めカット部１Ｃが設けられている。斜めカット部１Ｃは、例えば上腕部にカフＷを装着した時に、腕の元側（上側）に位置する側に設けられているのが望ましい。この斜めカット部１Ｃがあることにより、図６（ｂ）に示すように、テーパ状の被測定部位Ｍに外袋１を巻き付けた際の外袋１の角部のはみ出しを無くすことができ、その部分が邪魔にならなくなる。即ち、上腕等のテーパ状（元側が太く、先が細くなった形状）の被測定部位Ｍに帯状の外袋１を巻き付けた際には、巻き終わりの部分（外袋１の他端１Ｂ側）が外側（太い側）にはみ出すことがある〔図６（ｂ）中の斜線部Ｋ〕が、斜めカット部１Ｃを設けたことにより、そのはみ出しを無くすことができ、カフＷの装着性の向上が図れる。
【００３３】
また、図１〜図３に示すように、外袋１の内面側には、外袋１の幅の数分の一の小さな幅な補助バンド１０が設けられている。この補助バンド１０は、外袋１の長さ方向の中間部の内面の幅方向（図中矢印Ｙ方向。装着対象の腕等の長手方向に相当する）の中間部に基端１０Ａが固着されており、外袋１の他端１Ｂ側を一端１Ａ側に重ねる前に先行して外袋１の長さ方向の一端１Ａ側に先端１０Ｂが係止されることで、外袋１の長さ方向の一端
１Ａ側の略半分と共に被測定部位を通すためのループ（図２、図３参照）を作るものである。この補助バンド１０は、柔軟性を有した帯状（布状のゴム製）のものであり、外袋１の長さ方向に沿った伸縮性を持っている。
【００３４】
この補助バンド１０の先端１０Ｂの内面には、外袋１の一端１Ａ側の第１の面ファスナ２Ａに対して着脱自在に係合する第３の面ファスナ１２が設けられており、第１の面ファスナ２Ａ上の任意の位置に補助バンド１０の先端１０Ｂを係止できるようになっている。
【００３５】
また、外袋１の一端１Ａ側の外面には、外袋１の幅方向（矢印Ｙ方向）における補助バンド１０の先端１０Ｂ側の位置を決めるための位置決め手段としての第１の止めバンド１４が設けられている。この第１の止めバンド１４は、図１中矢印Ｅのように、補助バンド１０の先端１０Ｂを通す隙間１４Ａを中央下部に有し、その隙間１４Ａに補助バンド１０の先端１０Ｂを通した際に、補助バンド１０の先端１０Ｂを、第３の面ファスナ１２の厚みを利用して抜け止めするトンネル形のものである。
【００３６】
また、図１、図３に示すように、外袋１の一端１Ａ側の略半分の領域には、空気袋４を収納するポケット３が設けられており、このポケット３の入口３Ａが、外袋１の長さ方向の中間部の内面に開口されている。そして、その入口３Ａから挿入されることで、ポケット３の内部に空気袋４が収容されている。
【００３７】
図３に示すように、このポケット３は、外側布材３Ｂと内側布材３Ｃの周囲を接合（例えば縫製）することで形成されており、補助バンド１０の基端１０Ａが、ポケット３の入口３Ａの奥側においてポケット３の外側布材３Ｂの内面に固着されている。そしてその上で、補助バンド１０の先端１０Ｂ側が、ポケット３の内側布材３Ｃの内面に設けられたトンネル形の第２の止めバンド７の隙間に通されることにより、ポケット３の入口３Ａが、空気袋４の抜け出しを防止するように塞がれている。これにより、空気袋４は安易に抜け出すことがなくなる。
【００３８】
また、空気袋４の端部には、エアチューブ接続コネクタ５が取り付けられており、このエアチューブ接続コネクタ５が、外袋１の一端１Ａ側の外面に形成した引出孔９から外部に引き出されている。この第１実施形態のカフＷにおいては、エアチューブ接続コネクタ５のチューブ接続口が、外袋１の幅方向（矢印Ｙ方向。被測定部位に巻き付けたときに腕の長手方向に相当する方向）を向くように設定されている。
【００３９】
次に、このカフＷを装着する場合について説明する。ここでは、被測定部位が上腕部である場合を説明する。
装着の際には、まず、図２、図３、図４（ａ）に示すように、補助バンド１０の先端１０Ｂを第１の止めバンド１４の隙間１４Ａに通して、外袋１の一端１Ａ側の略半分と補助バンド１０とで適当な大きさのループを作る。そして、そのループの中に被測定部位Ｍである上腕部を通して軽く位置決めする。その際、補助バンド１０が伸縮性を持つので、被測定部位Ｍに容易にカフＷを位置決めすることができる。
【００４０】
次に、巻き方向の装着位置を調整しながら、図４（ｂ）に示すように、補助ベルト１０を巻き方向（矢印Ｆ方向）に引くことで、ループを締め上げ、補助ベルト１０の先端１０Ｂの第３の面ファスナ１２を外袋１の第１の面ファスナ２Ａに係合させる。これにより、カフＷの仮装着が完了する。
【００４１】
次に、この状態で補助バンド１０の上から、図４（ｃ）に示すように、外袋１の他端１Ｂ側を一端１Ａ側の上に被せて、第１の面ファスナ２Ａと第２の面ファスナ２Ｂを係合させる。これにより、カフＷを被測定部位Ｍである上腕部に本装着することがきる。
【００４２】
このように、補助バンド１０を利用して仮装着を行った後、外袋１を本装着することができるので、被測定者が自身で簡単に且つばらつきなく一定の状態で適正にカフＷを被測定部位Ｍに装着することができ、血圧測定の信頼性の向上に寄与することができる。
【００４３】
この場合、補助バンド１０は柔軟性を持つので、外袋１の他端１Ｂ側を一端１Ａ側の上に被せて本装着する際の邪魔になることもない。また、通常のカフに柔軟性を有する補助バンド１０を追加して設けるだけであるから、硬質材料製の折り返し用のバックルやカフスプリングを設けるのと違って、長時間の装着によっても違和感や痛みを生じることがない。
【００４４】
また、補助バンド１０の先端１０Ｂ側を予めトンネル形の第１の止めバンド１４の隙間１４Ａに通すことによって、補助バンド１０の先端１０Ｂを抜け止めすることができるので、ループが崩れてしまうことがない。従って、ループの中に被測定部位Ｍを通して、ループを締め込むことができ、適正な位置に確実にカフＷを仮装着することができる。また、カフＷを取り外す際にも、補助バンド１０によるループを維持した状態で、被測定部位Ｍをループから抜くことができるので、次回の装着の際に、そのループの中に被測定部位Ｍを通して、仮装着を容易に行うことができ、使い勝手がよい。
【００４５】
また、補助バンド１０を外袋１の幅よりも小幅のバンドとしているので、被測定部位Ｍをループの中に通しやすくなるし、外袋１の他端１Ｂ側を補助バンド１０の上から外袋１の一端１Ａ側の上に重ねる際に、補助バンド１０が嵩張ったり邪魔になったりしなくなり、装着性が向上する。
【００４６】
また、補助バンド１０の先端１０Ａの係合位置を変えることにより、ループの大きさを被測定部位Ｍに合わせて任意に調節できるので、より適切な仮装着が可能となる。
【００４７】
また、補助バンド１０の幅が小さくなると、補助バンド１０の自由度が増すので、自由端である先端１０Ｂ側が仮装着時などに横方向（外袋１の幅方向）にずれやすくなるが、第１の止めバンド１４に補助バンド１０の先端１０Ｂを通すことによって、補助バンド１０の先端１０Ｂ側の横ずれを防止することができるので、補助バンド１０で作ったループに被測定部位Ｍを通す際に、ループの形態が崩れることもなく、きれいにカフＷを装着することができる。
【００４８】
また、図５に示すように、第１の面ファスナ２Ａに着脱自在に係合できる適当な形状の目印ピース２０を設けるようにすれば、目印ピース２０の位置を目安にして補助バンド１０の先端１０Ｂの係止位置を決めることができるので、ループの大きさをいつも適正に調節することができ、一定の仮装着状態を作ることができる。また、個々の被測定者毎に複数の目印ピース２０を設けておけば、複数の被測定者が使用する場合にも便宜を図ることができる。
【００４９】
ところで、上述した第１実施形態のカフＷは、図６（ａ）に示すように、主に左腕の上腕部ＭＬに装着することを想定したものであるから、左腕の上腕部ＭＬに装着した場合には、エアチューブ接続コネクタ５のチューブ接続口の向きが上向きになる。また、図７に示すように、右腕の上腕部ＭＲに装着した場合には、エアチューブ接続コネクタ５のチューブ接続口の向きが下向きになる。従って、左腕の上腕部ＭＬに装着した場合には、上側からエアチューブ５Ａをエアチューブ接続コネクタ５に無理なく接続すればよいし、右腕の上腕部ＭＲに装着した場合には、下側からエアチューブ５Ａをエアチューブ接続コネクタ５に無理なく接続すればよいことになる。
【００５０】
しかし、実際の使用に当たっては、右腕に装着した場合にも左腕に装着した場合にも、上側からエアチューブ５Ａを接続することもあるし、下側からエアチューブ５Ａを接続することもある。従って、両方の場合に対応できることが望ましい。
【００５１】
そこで、図８（ａ）、（ｂ）に示す第２実施形態のカフＷ２では、エアチューブ接続コネクタ５のチューブ接続口の方向を外袋１の長手方向（矢印Ｘ方向）に向けている。しかも、エアチューブ接続コネクタ５の接続口の方向を、外袋１のポケット３に対する空気袋４の挿入方向（矢印Ｓ方向）に向けている。このような向きにすることにより、空気袋４をポケット３に入れ出しする際に、エアチューブ接続コネクタ５をスムーズに外袋１の引出孔９に通すことができるようになり、空気袋４の脱着の容易化を図ることができる。このことは、２４時間測定タイプの血圧計に使用した場合に、外袋１の洗濯の必要性が出てくることから、有効性を発揮することになる。
【００５２】
また、図９、図１０に示すように、エアチューブ接続コネクタ５のチューブ接続口の方向を外袋１の長手方向（矢印Ｘ方向。カフの巻き付け方向）に向けているので、例えば、右腕に巻いた場合にも左腕に巻いた場合にも、同じ曲がり角度（約９０°）でエアチューブ５Ａを、腕の上側または下側に無理なく引き出すことができ、無理のない左右兼用化を図ることができる。
【００５３】
なお、上記実施形態では、補助バンド１０の先端１０Ｂ側の横ずれを防止するための位置決め手段として、第１の止めバンド１４を設けていたが、その代わりに、位置決め手段として、第３の面ファスナ１２を補助バンド１０の先端部の内面から基端側に延長して設けてもよい。
【００５４】
このようにすれば、第１の止めバンド１４を設けるよりも、製作コストを抑えることができる。また、補助バンド１０の先端１０Ｂばかりでなく基端１０Ａ側に寄った部分まで面ファスナ２Ａ、１２の係合によって拘束することができるので、補助バンド１０の先端１０Ｂだけを面ファスナ２Ａ、１２で拘束する場合と比べて、補助バンド１０の横方向の位置ずれを確実に防止することができる。そのため、仮装着時にループの形が崩れずに、正しい姿勢でカフの取り付けを行うことができる。但し、いったん面ファスナ２Ａ、１２を係合させてしまうと、第１実施形態のように、補助バンド１０の先端１０Ｂの係止位置を容易に変更しづらくなる。
【００５５】
また、第１の止めバンド１４の位置は、外袋１の一端１Ａ側の外面上であればどこでもよいが、外袋１の一端部（最端部）に極めて近い位置よりも、多少、外袋１の他端１Ｂ寄りの位置にある方が、最終的なカフの巻き径を小さくできるので望ましい。
【００５６】
また、上記実施形態では、補助バンド１０の基端１０Ａが固着される外袋１の長手方向の中間部の位置が、外袋１の一端１Ａから他端１Ｂの略半分の位置に設定されているが、必ずしも略半分の位置に設定されている必要はなく、外袋１の一端１Ａから他端１Ｂまでの間の任意の位置に設定されていてよい。
【００５７】
また、上記実施形態では、補助バンド１０の幅が外袋１の幅よりもかなり小さい場合を示したが、補助バンド１０が、外袋１の他端１Ｂ側を一端１Ａ側に被せる際の邪魔にならないのであれば、補助バンド１０の幅は任意に設定することができる。
【図面の簡単な説明】
【００５８】
【図１】本発明の第１実施形態のカフの使用前の状態を示す斜視図である。
【図２】補助バンドの先端を外袋の一端側に係止させてループを作った状態を示す斜視図である。
【図３】カフの概略構成を示す断面図である。
【図４】（ａ）〜（ｃ）はカフの装着手順を説明するための概略図である。
【図５】外袋の一端側の第１の面ファスナ上に目印ピースを設けた状態を示す図である。
【図６】（ａ）は左腕の上腕部にカフを装着するときの状態を示す図、（ｂ）は外袋の斜めカット部の有用性を示す図である。
【図７】右腕の上腕部にカフを装着するときの状態を示す図である。
【図８】（ａ）は本発明の第２実施形態のカフの概略構成を示す図、（ｂ）は外袋のポケットに空気袋を挿入する際の利点を説明するための図である。
【図９】同カフを左腕の上腕部に装着しようとしている状態を示す図である。
【図１０】同カフを右腕の上腕部に装着しようとしている状態を示す図である。
【符号の説明】
【００５９】
Ｗ，Ｗ２  カフ
１  外袋
１Ａ  一端
１Ｂ  他端
１Ｃ  斜めカット部
２Ａ  第１の面ファスナ
２Ｂ  第２の面ファスナ
３  ポケット
３Ａ  入口
３Ｂ  外側布材
３Ｃ  内側布材
４  空気袋
５  エアチューブ接続コネクタ
５Ａ  エアチューブ
７  第２の止めバンド
９  引出孔
１０  補助バンド
１０Ａ  基端
１０Ｂ  先端
１２  第３の面ファスナ
１４  第１の止めバンド
１４Ａ  隙間
Ｘ  外袋の長手方向（カフの巻き付け方向）
Ｙ  外袋の幅方向（腕の長手方向）
Ｍ  被測定部位（上腕部）
ＭＬ  左腕の上腕部
ＭＲ  右腕の上腕部
【図１】
2010148817.tif 000003
【図２】
2010148817.tif 000004
【図３】
2010148817.tif 000005
【図４】
2010148817.tif 000006
【図５】
2010148817.tif 000007
【図６】
2010148817.tif 000008
【図７】
2010148817.tif 000009
【図８】
2010148817.tif 000010
【図９】
2010148817.tif 000011
【図１０】
2010148817.tif 000012